(57)【特許請求の範囲】
【請求項１】
地表付近に設置された蒸気動力プラントであって、当該蒸気動力プラントが、主として、蒸気発生装置（１）と、復水蒸気タービン（２）および発電機（３）を備えたターボ群と、水冷式の復水器（４）と、抽気加熱式の予熱器設備（５）と、少なくともターボ群（２，３）の上方を通過するガントリクレーン（８）とから成っている形式のものにおいて、
蒸気動力プラントの全ての構成要素が、燃料貯蔵場所（６）を含めてグランドレベルでかつ屋外設置で配置されており、ガントリクレーン（８）が、ターボ群（２，３）と、復水器（４）と、所属のポンプを備えた予熱器設備（５）と、変圧器（７）とが配置されている面の上方を通過するようになっており、全ての予熱器（５）が、水側で同じ圧力のために設計されていて、ほぼ同じ寸法を有しており、しかも、ターボ群（２，３）に並んで配置されており、予熱器設備（５）の上流側に、冷復水が供給される補償タンク（２３）が設けられていることを特徴とする、蒸気動力プラント。
【請求項２】
蒸気動力プラントの全ての構成要素が、燃料貯蔵場所（６）を含めて、見取り図で見て方形のモジュール（２００）を形成している、請求項１記載の蒸気動力プラント。
【請求項３】
複数のモジュール（２００）が、相並んで配置されている、請求項２記載の蒸気動力プラント。
【請求項４】
蒸気発生装置（１）に少なくとも１つの石炭サイロ（１３）から石炭が供給されるようになっており、少なくとも１つの石炭サイロ（１３）が、グランドレベルに設けられた平床式受容体（１０）と、傾斜ベルト（１１）と、石炭クラッシャ（１２）と、少なくともほぼ水平方向に延びる搬送装置（１４）と、後続の鉛直な搬送装置（１５）とを介して燃料貯蔵場所（６）に接続されている、請求項１記載の蒸気動力プラント。
【請求項５】
蒸気発生装置（１）と、煙道ガス浄化装置（１６）と、煙突（１７）とが、共通の煙道ガス軸線（１８）に一列に配置されており、ターボ群（２，３）が、煙道ガス軸線（１８）のすぐ近くに配置されていて、該煙道ガス軸線（１８）に対して平行に方向付けられている、請求項１記載の蒸気動力プラント。
【請求項６】
ターボ群の低圧蒸気タービン（２Ｃ）が、軸方向の流出部を有しており、蒸気復水器（４）が、蒸気タービン（２）の軸方向の延長部に位置しており、支承部とハウジングとが、コンクリート基部上に直接に支持されており、該コンクリート基部が、グランドレベルの基礎上に配置されている、請求項１記載の蒸気動力プラント。
【請求項７】
供給ポンプ（２６）が、２段式に形成されており、水側で前ポンプ（２７）が、予熱器（５）の上流側に配置されており、主ポンプ（２８）が、予熱器（５）の下流側に配置されている、請求項１記載の蒸気動力プラント。
【請求項８】
２段式の供給ポンプ（２６）が、共通の駆動装置（２９）を有している、請求項７記載の蒸気動力プラント。
【請求項９】
発電機（３）が、空冷式に形成されており、閉じられた回路内で循環する冷却空気を再冷却するために、脱塩されていない主冷却水（５１）が、復水器冷却循環路から取り出される、請求項１記載の蒸気動力プラント。
【請求項１０】
補給水（１９）が、流入開口（４４）を備えた、水域（２０）内に沈められたコンクリート管（２１）内に配置された少なくとも１つの汚水ポンプ（２２）を介して圧送される、請求項１記載の蒸気動力プラント。
【請求項１１】
蒸気発生装置（１）を始動させるためおよび支持燃焼のために液状の燃料が使用され、該燃料が、蒸気発生装置（１）に直接に並んで配置されたタンク（２４）内に貯蔵されており、始動燃料のためのポンプ（２５）が、バーナへの供給のためだけでなく、タンクの充填のためにも使用される、請求項１記載の蒸気動力プラント。
【発明の詳細な説明】
【０００１】
背景技術
本発明は、蒸気動力プラントであって、当該蒸気動力プラントが、主として、蒸気発生装置と、復水蒸気タービンおよび発電機を備えたターボ群と、水冷式の復水器と、抽気加熱式の予熱器設備とから成っている形式のものに関する。
【０００２】
一般的に、このような形式の動力プラントは、顧客仕様書および設置場所要求に基づき製造され、したがって、企画開発、企画計画および建設のための長い時間およびこれに関連した高いコストを必要としている。とりわけ建設時間は、顧客仕様書に添ったこの動力プラントでは、可能な限り詳細な前工事が不可能であり、たとえば可能な限り早期に加工されることが望ましい建設部分のような重要な作業があとになって初めて着手され得るという事実に左右される。
【０００３】
動力プラントを屋外建設形式で設置することによって建設時間を短縮することが自体知られている。しかし、この建設形式は、動力プラントの運転ならびに保守および修理に関連した一連の欠点も生ぜしめる。これに関連して、ドイツ連邦共和国特許出願公開第１４２６９１８号明細書には、短縮された建設時間でかつ削減された投資コストで建設され、しかも、前記欠点が回避されるような蒸気動力プラントのコンセプトが開示されている。このコンセプトは、主として、ターボセットが蒸気発生装置の間の道路に配置されており、ガントリクレーンが蒸気発生装置上で組み付けられており、これによって、蒸気発生装置の組付けならびにターボセットの組付けが容易となっていることに起因している。さらに、多目的使用の原理を実現するために、蒸気発生装置の保持足場または石炭バンカが同時に隣接設備を取り付けるために装備されており、ガントリクレーンが蒸気発生装置だけでなく発電機も操作することができるようになっている。このコンセプトに基づき建設された蒸気動力プラントは極めてコンパクトに形成されていて、狭い見取り図にまとめられている。この手段の難点は建設手間の減少にある。少ない面積要求と保持足場の多目的使用との利点は、多数の設備部分を鉛直方向に配置することによってあがなわれる。高く設置されたガントリクレーンによって組付けが建設段階の間に容易となる多数の設備部分の、まさにこの鉛直方向の配置形式では、設備部分の、必要となる修理目的および保守目的のために運転段階中にクレーンを使用することができない。建設段階後、このクレーンの使用範囲は、ほぼターボ群に制限されたままとなる。なぜならば、設備部分は全ての中間平面で把持することができないからである。
【０００４】
発明の利点
ここで、前記公知先行技術から出発して本発明の課題は、保守および修理を極めて高い精度で容易に行うことができる蒸気動力プラントを提供することである。
【０００５】
したがって、本発明は、主として、蒸気発生装置と、復水蒸気タービンおよび発電機を備えたターボ群と、水冷式の復水器と、抽気加熱式の予熱器設備と、ガントリクレーンとから成る蒸気動力プラントから出発して、蒸気動力プラントの全ての構成要素が、燃料貯蔵場所を含めてグランドレベルでかつ屋外設置で配置されており、ガントリクレーンが、ターボ群と、復水器と、所属のポンプを備えた予熱器設備と、変圧器とが配置されている面の上方を通過するようになっていることによって特徴付けられている。
【０００６】
蒸気発生装置と、煙道ガス浄化装置と、煙突とが共通の煙道ガス軸線に一列に敷設されると、有利には、ターボ群が煙道ガス軸線のすぐ近くに配置され、この煙道ガス軸線に対して平行に方向付けられる。
【０００７】
燃料貯蔵場所が石炭ストックもしくは貯炭場である場合には、燃料貯蔵場所を、主風向きで見て風下にターボ群と蒸気発生装置との後方に配置することが提案されている。
【０００８】
これら全ての手段の利点は特に、設備工事と構成要素との規格化によって、著しく大規模な投資コストが削減されるという点に見ることができる。動力プラントの見取り図は、一義的に規定された方形を成している。このことによって、このような方形を単に連続的に並べるだけで、あらゆる任意の時点で設備を拡張することが可能となる。この場合、設備工事において従来慣用の極めて大規模な企画工事を不要にすることができる。相並んで配置したい動力プラントブロックは同じ形状を有している。開拓道路だけが最小限に適合されさえすればよい。別の利点は、一貫して置き換えられた屋外設置に見ることができる。これによって、たとえばボイラハウジングおよび機械ハウジングのような建物の、コストおよび時間のかかる建設を不要にすることができる。ターボ群と、復水器と、所属のポンプを備えた予熱器設備と、変圧器とが、ガントリクレーンによって通過可能であるように配置されている手段は、これらの構成要素のためにも方形の横断面を規定している。これによって、運転と保守とが妨害されることなしに、設備部分を最も狭いスペースに直接に相並んで配置させることが可能となる。保守・修理作業のためにクレーンを使用することができる。さらに、この配置形式によって、種々異なる設備部分の最短の接続が可能となる。このことは、有利には、組付けおよび維持補修にも同様に有効となる。
【０００９】
石炭ストックを風下でターボ群と蒸気発生装置との後方に配置するという有利な手段は、設備の方形の横断面に基づく要求を決して侵害せず、かつ風向きとは無関係に実施可能である。こうして、技術的な設備の領域における炭塵排出および管理運転を回避することができる。目標とされる方形の横断面は、冷却目的のために必要となる局所的な水域位置に関連してあらゆる事例においても実現可能となる。当然ながら、その都度の状況計画には、この水域位置が考慮される。この場合、ここでも最短の接続経路が重要視される。
【００１０】
グランドレベルで設置された平床式受容体は、破砕されていない石炭を、石炭クラッシャに通じる傾斜ベルト上に供給するために設けられている。これによって、大きなスペースを有する、コンクリート塗りされた地下深くの従来慣用の受容器ピットを不要にすることができる。これによって、地下作業が著しく減少する。
【００１１】
有利には、蒸気発生装置には、粗砕された石炭が石炭サイロから供給される。この場合、蒸気発生装置に対応配置された石炭サイロが、前置された石炭クラッシャに、少なくともほぼ水平方向に延びる搬送装置と、後続の鉛直な搬送装置とを介して接続されていると有利である。水平方向に延びる搬送装置の、グランドレベルの設置によって、手間のかかる鋼足場を回避することができる。
【００１２】
蒸気タービンは軸方向の流出部を有している。これによって、蒸気復水器は、蒸気タービンの軸方向の延長部に位置している。ターボ群を準グランドレベルで設置することに基づき提供されるこの解決手段ならびに屋外設置という事実とによって、復水器への、制限されない接近が可能となる。復水器管が交換されなければならない場合には、従来のように建物の表面エレメントを取り外すことはもはや不要となる。さらに、このような形式の保守作業のために、復水器を通過するガントリクレーンを使用することができる。
【００１３】
全ての予熱器が、水側で同じ圧力のために設計されていて、ほぼ同じ寸法を有しており、しかも、ターボ群に並んで配置されていると有利である。この手段によって、水側のかつ蒸気側の最短の接続が保証されていると共に、保守作業時にやはりガントリクレーンの使用が可能となる。
【００１４】
動力プラントの建設時間が、前計画の不足および顧客仕様書への即応に基づき今日では異常に長くなっているという認識から出発して、本発明では、多くの可能な設置場所に建設することができる動力プラントの十分な規格化が要求される。
【００１５】
実施例の説明
以下に、本発明の実施例を図面につき詳しく説明する。
【００１６】
図面には、本発明の実施例が、一次燃料として石炭を用いる、１つの軸を備えた軸流ターボ群に関連して示してある。ここでは、本発明を理解するために重要となるエレメントしか示していない。設備のうち、たとえば機械と装置との間の多数の線路ならびに遮断装置や制御装置などは図示していない。種々異なる作業媒体の流れ方向は矢印で示してある。
【００１７】
図１には、全ての動力プラント構成要素を有する設備モジュールが符号２００で示してある。このような設備モジュール２００は、たとえば１５０ＭＷ（メガワット）設備を有することができ、粉塵排出、騒音およびトラック交通から住民を守るために、有利には完全な産業地域に建設される。符号６で燃料貯蔵場所が示してある。この事例では、見取り図で見て方形の、開放した貯炭場である。図示の例では、燃料貯蔵場所または石炭ストック６が川２０に直接に隣接している。このことは、石炭納入を船によって行うことができるということを意味している。当然ながら、この石炭納入は、鉄道によってまたは開拓道路３６を経由したトラックによって行われてもよい。設備が炭鉱の近くにある場合にはコンベヤベルトによる運搬も可能である。
【００１８】
いま、石炭ストック６を基準として、主風向き９が動力プラントの基本的な位置決めを規定している。
【００１９】
石炭は、まず石炭ストック６から、建設段階の間に掘出し作業のためにも使用することができるショベルドーザ４９によって平床式受容体（Ｆｌａｃｈｂｅｔｔ−Ａｕｆｎｅｈｍｅｒ）１０上に供給される（図４参照）。この平床式受容体１０から、堆積された搬送材料４１は、石炭クラッシャ１２に通じる傾斜ベルト１１上に到達する。すでに冒頭で述べたように、石炭をホッパを介してコンベヤベルト上に案内する、コンクリート塗りされたピットは平床式受容体１０によって不要にすることができる。平床式受容体１０はグランドレベル（ｅｂｅｎｅｒｄｉｇ）で基礎プレート上に位置しているので、新たな手段によって傾斜ベルト１１の長さもピット手段に比べて減少させられる。この傾斜ベルト１１は、石炭クラッシャ１２もしくはクラッシャ建物の、通常は約１５〜２０ｍの高さに位置する入口に材料を搬送しなければならない。
【００２０】
搬送材料４１はまず石炭クラッシャ１２から、水平方向に延びる搬送装置１４を介して、その後、鉛直方向に延びる搬送装置１５を介して水平搬送器４３に到達し、この水平搬送器４３から石炭サイロ１３内に充填される。この石炭サイロ１３への、従来慣用の傾斜ベルト搬送に比べて、この手段は幾つかの利点を有している。一般的に、慣用のボイラサイロの供給部は５０ｍの高さに位置しているので、傾斜ベルト搬送の場合には、通常１４゜〜１５゜の傾斜と共にほぼ２００ｍの距離が要求される。本発明による新たな手段によって、この距離を著しく減少させることができ、これによって、石炭クラッシャ１２を後続のボイラ付近に配置することができる。さらに、水平方向に延びる搬送装置１４はグランドレベルで単純なコンクリート製のまくら木上に設置することができる。さらに、組付け時に大きなクレーン容量が必要となる傾斜ベルト搬送のような大規模な鋼構造は不要にすることができる。当然ながら、地表高さで延びる水平なコンベヤベルトへの接近も、操作工程および運転工程が不要であるために容易となる。
【００２１】
さらに、まず水平方向に搬送し、次いで鉛直方向に搬送するというこの建設形式によって、後続の鉛直な搬送装置１５の基本的な規格化が可能となる。この場合には、単純な支持構造体を備えた、取り囲まれたバケットコンベヤである。このバケットコンベヤも同様にグランドレベルで設置されていて、水平方向の供給物を受け取るために、有利にはボイラ構造体に接続されている。これら全てのことから得られることは、水平な搬送装置１４の距離が、それぞれ異なる状況、すなわち石炭ストック６からボイラまでの距離にその都度適合されさえすればよいということである。
【００２２】
蒸気発生装置１は大気流動層燃焼によって作業する。この場合、約６ｍｍのサイズを有する、粗砕された石炭が燃焼され得る。この場合の利点は、石炭クラッシャ１２の他に付加的な微粉炭機が不要であるという点に見ることができる。蒸気発生装置１は鋼フレーム内で保持される。すなわち、外側ライニングと屋根とを不要にすることができる。
【００２３】
図１から明らかであるように、蒸気発生装置１には液状の燃料のためのタンク２４が直接に前置されている。この液状燃料は、蒸気発生装置１の始動および支持燃焼（Ｓｔｕｅｔｚｆｅｕｅｒ）のために必要となる。このタンク２４の設置場所は、短い搬送経路に関連して選択される。タンク２４自体は、コンクリート打ちされた捕集槽内に収納されている。始動燃料のためのポンプ２５が、コンクリート製の基礎プレートのから突出する基部上でタンク２４のすぐ隣に位置している。この場合、この基礎プレートは、ポンプ領域のための捕集槽として形成されている。
【００２４】
タンク２４には、開拓道路３６からタンク自動車によって燃料を供給することができる。始動燃料のためのポンプ２５が、バーナに燃料を供給するためだけでなく、タンク２４に燃料を供給するためにも使用されることが有利であると分かった。どのようにしてこのことを実現することができるのかが図７に示してある。タンク２４を充填するために、ポンプ２５は、適宜に調整された三方機構４７を介して燃料をタンク自動車から吸い込み、適宜に調整された別の三方機構４６を介して充填管路４８を経由して燃料を容器内に圧送する。蒸気発生装置１を始動させるためおよび支持燃焼時には、ポンプ２５が、同様に適宜に調整された三方機構４７，４６を介して燃料をタンク２４からボイラ１のバーナ４５に圧送する。
【００２５】
蒸気発生装置１は大気流動層燃焼によって作業するので、煙道ガスの脱硫は不要となる。したがって、ボイラ１には煙道ガス浄化装置１６が直接に接続されている。この煙道ガス浄化装置１６は、主として、静電式の分離器または繊維フィルタから成っている。浄化された排ガスは煙突１７を介して大気中に排出される。図１から認識可能であるように、蒸気発生装置１と、煙道ガス浄化装置１６と、煙突１７とはボイラ１の長手方向軸線で、いわゆる煙道ガス軸線１８に配置されている。
【００２６】
いま、この煙道ガス軸線１８に対して平行に機械軸線３３が延びている。この機械軸線３３には、ターボ群２，３および復水器４ならびに変圧器７および有利には屋外切換設備３４が配置されている。ここでは、慣用の設備に対する相違点を認識することができる。慣用の設備では、一般的にターボ群が蒸気発生装置１の端面側に位置している。
【００２７】
設備モジュール２００内には開拓道路３６もしくは道路システムを詳しく見ることができる。この道路システム３６は、工場３１と、切換設備建物３２と、冷却塔設備３５と、この冷却塔設備３５内に案内される補給水１９と、水浄化装置３０とから成る設備を開拓している。管路を短く保持するために、復水器４を冷却塔設備３５のできるだけ近くに配置することが目標とされる。この管路のために、超越的な配置形式が選択されており、これによって、設備建設時に建設作業が妨害されないようになっている。相並んで配置された冷却セルの位置決めは、予め支配している風向きの機能に関連してだけでなく、タービンおよびボイラまでの距離に関連して行われる。この場合、冷却塔の通気が損なわれないということが重要である。
【００２８】
補給水１９の取水は、従来慣用の大規模な流入機構を用いることなしに行われる。図６に示したように、補給水１９は最も簡単な形式で汚水ポンプ２２を介して圧送される。この汚水ポンプ２２は、本発明の例では、水域２０内に沈められたコンクリート管２１内に配置されている。このコンクリート管２１は、有利には連続的に積み重ねられた個々のコンクリートリングから成っている。これらのコンクリートリングのうちの少なくとも１つには流入開口４４が設けられている。コンクリート管２１と汚水ポンプ２２とは、川底に嵌め込まれた肉薄のコンクリートプレート上に位置している。取り出された水はキャットウォーク（Ｌａｕｆｓｔｅｇ）３７を越えて通過可能である。補給水のための水管１９は底付近に向かって延びていて、かつまくら木３８上に支持されている。
【００２９】
可能な限り、機械的なかつ電気的な付属品は前製造されていると共に前組付けされていて、運搬コンテナで設備内に運搬される。コンテナは、組付け時にクレーンによって単純なコンクリート製のまくら木上に載置される。これによって、適合工事だけでなく組付け時間も減少させることができる。このことは、前組付けされて納入される、ターボ群のすぐ近くでコンクリート製の捕集槽内に収納されるオイルタンクおよびポンプを含めて、全ての潤滑・制御オイルシステムにも当てはまる。
【００３０】
図２には、図１と同じ風向きおよび同じ川の流れで、設備モジュール２００の三重配置形式が示してある。図１に示した設備とただ１つ違うことは、一貫して延びる道路列３６を見ることができる点にある。したがって、１つの設備は、すでに存在している設備モジュール２００の運転を侵害することなしに任意の時点で解体可能であるといことが認識可能である。動力プラント設備が複数のモジュールからなるということが設置前にすでに明らかである場合には、当然ながら、共通の石炭ストック６と、共通の冷却水の取水とに関連した考慮がなされる。
【００３１】
図３には、本発明によりガントリクレーン８によって通過されるエレメントが示してある。図面右端には、煙道ガス軸線１８が複数のエレメント、つまり始動燃料のためのポンプ２５、石炭サイロ１３、蒸気発生装置１および煙道ガス浄化装置１６と共に示してある。いま、設備が建物なしで十分でありかつ（後で詳しく説明するように）予熱器がボイラとは反対の側に配置されているという事実によって、実際のタービン２をボイラ１のすぐ近くに設置することができる。これによって、著しく短い接続管路（図示せず）が可能となる。このことは、特に蒸気管路に当てはまる。
【００３２】
ガントリクレーン８のクレーンレール３９は両側でコンクリート柱４０に支持されている。これによって、蒸気管路と、水管路と、ケーブル通路との貫通案内が妨害されないようになっている。クレーンレール３９の長さは、このクレーンレール３９が、機械軸線３３に配置されている補助変圧器７と供給ポンプブロック２６とを一緒に取り囲むように寸法設定されている。クレーン幅は、クレーン８が、予熱器設備５も、コンテナ構造内に形成された切換設備建物３２も一緒に操作することができるように選択されている。これによって、クレーン８が設備の、初めの設置のためにも使用されるということが明らかとなる。これによって、可動性の巻上げ装置を不要にすることができる。これに相応して、クレーンの支持力は、組付け時に運動することができる最も重いタービン部分のために設定されている。このことは、有利には滑りレールを介して運転位置にもたらされる発電機３には当てはまらない。
【００３３】
前記全エレメントのグランドレベルの設置と、これらのエレメントの、ガントリクレーンによる操作との利点を軽視することはできない。なぜならば、とりわけ気候の理由に基づき設備の屋外設置を可能にする市場区分では直接的に、可動性のクレーンを十分な設計と支持力とを備えて頻繁に入手することができないからである。このことは、特に設備が無計画的に故障した場合に当てはまる。この場合、即座に除去対策が提供されることが望ましい。
【００３４】
ここでは、高圧部分２Ａ、中圧部分２Ｂおよび低圧部分２Ｃを備えた蒸気タービン２と、発電機３とから成る実際の機械に関して、「グランドレベル」という概念が考慮されなければならない。実際には、準グランドレベルでの設置である。このことは、機械が、自体鋼柱またはコンクリート柱によって支持される基礎台上に設置されている構造ではないということで理解することができる。機械の、この準グランドレベルでの設置は、低圧タービン２Ｃの排気部が軸方向に方向付けられていて、同じレベルに位置する復水器４の復水器スロートが排気部にフランジ結合されているということによって可能となる。この建設形式によって、機械軸線３３が、ほんの約５．５ｍの高さで地表の上方に位置しているということが可能となる。これによって、機械を取り囲む慣用の運転プラットフォームと、万一の場合の中間底部とが不要となる。相応の階段登り口を備えたプラットフォームは、運転オペレータおよび保守目的のために接近が絶対的に必要である場所にしか設けられない。
【００３５】
ターボ群２，３は復水器４と共に、モノリスのもしくは単体のコンクリート基礎プレート上に設置されている。この場合、基礎から突出している柱プレートは支承部とハウジングとを支持している。上述した、必要なプラットフォームは、約４．５ｍの高さで地表の上方に位置している。プラットフォーム上にはオイル管路が敷設されている。
【００３６】
屋外設置のために、耐候性の型枠を備えたタービンハウジングは、適宜に考案された通気開口を装備している。この型枠は同様に前記プラットフォーム上に支持されている。
【００３７】
全てのタービンハウジングには水平な分割平面が設けられている。また、少なくとも全ての蒸気抽出管路（図５には符号１１０で示してある）は、それぞれ下側のハウジング半部に配置されている。したがって、ブレードまたはロータにおける保守作業時に必要となる、上側のハウジング半部のカバーのために、これらの管路が除去される必要はない。これにより制限された、地表の上方における低い管路敷設は、管の支持を簡単に実施することができ、かつ最初の組付け時にすでに要求の少ない足場を設けることができるという利点も有している。さらに、実施したい溶接作業時、検査時および絶縁材料での防護時の接近が簡単になる。
【００３８】
いま、当然ながら、抽気管路の、地表付近の案内部には、給水予熱器５も相応に配置されている。この給水予熱器５はタービンすぐ近くに配置されている。１５０ＭＷ設備の事例では、予熱器設備が、相並んで配置された５つの装置から成っている。当然ながら、これらの装置は、グランドレベルの配置形式という基本思想を逸脱することなしに部分的に互いに重なり合って位置していてよい。たとえば地表上に３つの予熱器が位置していて、その上に２つの予熱器が位置している。これらの予熱器がガントリクレーン８によって操作可能であるということだけは決定的である。タービンの近くに選択的に配置することによって、短い抽気管路が得られる。抽気管路がボイラ側ではなく、これとは反対の側に位置しているという事実によって、抽気管路と、蒸気発生装置に通じる蒸気管路との解体の利点が得られる。さらに、予熱器を地表付近に設置することによって、同様に給水管路と抽気管路とを支持しているコンクリート基礎の形の簡単な支持が可能となる。
【００３９】
全ての予熱器５は、ほぼ同じ寸法を有していて、水側で同じ圧力のために設計されている。これによって、すでに示したように、水・蒸気循環が、給水タンク／脱ガス器なしで十分であるように設計されている。自体慣用の大きなかつ重いこれらの装置は、一般的に約１５ｍの高さで配置されていて、相応にコストのかかる支持を必要としている。このタンクと、相応する管路案内部との省略によって、投資コストと組付け時間とを著しく減少させることができる。
【００４０】
水・蒸気循環は、図５の熱回路図に簡単に示してあり、以下で短く説明する。給水は、慣用の操作（１７０ｂａｒ、約２５０℃）によって蒸気発生装置１のエコノマイザ１０１内に流入し、そこから蒸気ドラム１０３内に到達する。自然循環では、水は蒸発器１０２を通って飽和蒸気としてドラム内に戻される。図示されていない複数の部分から成る過熱器１０４内では、水が５４０℃の最終温度に加熱され、蒸気管路１０５を介して蒸気タービンの高圧部分２Ａ内に導入される。この高圧部分２Ａ内では、蒸気が、出力の排ガス下で約４０ｂａｒの圧力に低下する。冷たい再熱器管路１０６を介して蒸気はボイラ内に戻され、このボイラにおいて再熱器１０７で新たに約５４０℃に昇熱され、熱い再熱器管路１０８を介して蒸気タービンの中圧部分２Ｂ内に導入される。新たに部分減圧された後、蒸気は中圧部分２Ｂから、蒸気が復水器圧に低下させられる低圧部分２Ｃ内に到達する。水冷式の復水器４内では、蒸気が結露され、復水が温水だめ（図示せず）内に集められ、そこから復水は復水ポンプ１１１によって予熱器設備内に圧送される。この点においては、設備は十分に既知である。
【００４１】
いま、予熱器設備を簡単にするために以下のコンセプトが選択されている。供給ポンプ２６が２段式に形成されている。水側では、前ポンプ２７が予熱器５の上流側に配置されていて、主ポンプ２８が予熱器５の下流側に配置されている。２段式の供給ポンプ２６には共通の駆動装置２９が設けられている。予熱器５内では、抽気管路１１０を介してタービン２Ａ〜２Ｃの、相当する段から取り出された抽気によって給水がボイラ流入温度に昇熱される。供給ポンプ２６の２段式の構成は、全ての予熱器５を水側で均一に低い圧力に対して設計することができ、ひいては廉価に製造することができるという利点を有している。前ポンプ２７の最終圧は、予熱器系統内の圧力損失と、主ポンプ２９の、許容可能な流入圧との機能において選択される。
【００４２】
特に、予熱器系統内では、復水ポンプ１１１と供給ポンプ２６との間に冷復水のための補償タンク２３が設けられている。この補償タンク２３は、蒸気状のまたは不活性ガス状の圧力クッションによって作業することができ、供給ポンプ２６のための受け器として役立つ。補償タンク２３は、特に運転状態が定常ではない場合に機能する。
【００４３】
図５の熱回路図には発電機３も示してある。この発電機３は空冷式である。この場合、クーラボックス１１２が発電機３に直接にフランジ結合されている。特に、閉じられた回路内で循環する冷却空気を再冷却するために、脱塩されていない冷却水が主冷却循環路５１から取り出される。したがって、たいてい銅もしくはニッケルから形成された冷却エレメントを備えた従来の空冷器／水冷器とは異なり特殊鋼が使用される。それにもかかわらず、冷却水システムはより廉価となる。なぜならば、発電機冷却の目的で主冷却水が使用されるために、その他の目的のために必要となる、浄化された水によって作業する中間冷却システムをより小さく、ひいてはより廉価に寸法設定することができるからである。
【００４４】
発電機軸線も約５．５ｍの高さで地表の上方に位置していることによって、発電機スイッチ（図示せず）と励起器設備（図示せず）とを発電機の下方に配置することが可能となる。発電機スイッチと励起器設備とは単純な地表プレート上に設置することができる。したがって、発電機アースは発電機の下側に配置されていて、最短の線路長さで一直線に延びている。この解決手段は、アースが発電機の上方で側方に分岐していることによって知られているような手間のかかる支持構造を回避している。
【００４５】
図１および図３からは、変圧器７の、発電機３のすぐ近くで行われる設置が認識可能である。これによって、短い電流レール５０が得られる。補助変圧器とブロック変圧器とは防火壁によって互いに仕切られている。設備は、少なくとも補助変圧器をガントリクレーンから操作することができるように考案されている。
【００４６】
切換設備３４は、ガス絶縁された高電圧モジュールとして考案することができる。これによって、一方では土地要求を著しく減少させることができ、他方では変圧器設備のすぐ近くに建設することができる。切換設備と保守室とはやはりコンテナとして形成されている。モジュールは前製造されて、全周にわたって延びる基部を備えた、グランドレベルの基礎プレート上に設置される。こうして形成された室はケーブルセラーとして役立つ。
【００４７】
図８および図９には、選択された原理的なレイアウトが、一方では別の風向きで、他方では別の水域経過で示してある。設定に相応して、石炭ストック６は両配置形式においてそれぞれ風下に配置されている。両図面によれば、石炭搬送コンセプトの大きな利点が示してある。水平な搬送器１４の長さと経過とが、新たな提供に適合しさえすればよい。図９に示した設備は、川の経過が異なっているという点で、図８に示した設備と異なっている。このことは、取水が異なった形で行われ得ることに基づき、モジュール２００の幾何学的形状が互いに異なっているということにしかすぎない。
【図面の簡単な説明】
【図１】  設備の原理的なレイアウトを示す図である。
【図２】  多重設備を示す図である。
【図３】  ターボ群をその周辺部分と共に示す平面図である。
【図４】  石炭ストックから蒸気発生装置への石炭の搬送経路を示す図である。
【図５】  設備の熱回路図である。
【図６】  冷却水取出し部を示す図である。
【図７】  液状燃料の回路図である。
【図８】  別の風向きで用いられる設備の原理的なレイアウトを示す図である。
【図９】  別の水域位置で用いられる設備の原理的なレイアウトを示す図である。
【符号の説明】
１  蒸気発生装置またはボイラ、  ２  タービン、  ２Ａ  高圧部分、  ２Ｂ  中圧部分、  ２Ｃ  低圧部分、  ３  発電機、  ４  復水器、  ５  予熱器設備、  ６  燃料貯蔵場所または石炭ストック、  ７  変圧器、  ８  ガントリクレーン、  ９  主風向き、  １０  平床式受容体、  １１  傾斜ベルト、  １２  石炭クラッシャ、  １３  石炭サイロ、  １４  搬送装置、  １５  搬送装置、  １６  煙道ガス浄化装置、  １７  煙突、  １８  煙道ガス軸線、  １９  補給水または水管、  ２０  川または水域、  ２１  コンクリート管、  ２２  汚水ポンプ、  ２３  補償タンク、  ２４  タンク、  ２５  ポンプ、  ２６  供給ポンプ、  ２７  前ポンプ、  ２８  主ポンプ、  ２９  駆動装置、  ３０  浄水装置、  ３１  工場、  ３２  切換設備建物、  ３３  機械軸線、  ３４  屋外切換設備、  ３５  冷却塔設備、  ３６  開拓道路または道路列、  ３７  キャットウォーク、  ３８  まくら木、  ３９  クレーンレール、  ４０  コンクリート柱、  ４１  搬送材料、  ４３  水平搬送器、  ４４  流入開口、  ４５  バーナ、  ４６  三方機構、  ４７  三方機構、  ４８  充填管路、  ４９  ショベルドーザ、  ５０  電流レール、  ５１  主冷却循環路または主冷却水、  １０１  エコノマイザ、  １０２  蒸発器、  １０３  蒸気ドラム、  １０４  過熱器、  １０５  蒸気管路、  １０６  再熱器管路、  １０７  再熱器、  １０８  再熱器管路、  １１０  抽気管路、  １１１  復水ポンプ、  １１２  クーラボックス、  ２００  設備モジュール
【図１】
0003965646.tif 000002
【図２】
0003965646.tif 000003
【図３】
0003965646.tif 000004
【図４】
0003965646.tif 000005
【図５】
0003965646.tif 000006
【図６】
0003965646.tif 000007
【図７】
0003965646.tif 000008
【図８】
0003965646.tif 000009
【図９】
0003965646.tif 000010